(57)【特許請求の範囲】
【請求項１】
壁面上に配設された照明用光源と、該照明用光源を挟んで該壁面上に配設固着された上下一対の看板体取付レールと、該看板体取付レールに対し着脱可能に懸架結合された光透過性の看板体とを備え、該看板体取付レールに該照明用光源から受けた光を該看板体の裏面に向けて反射する反射板を設けたことを特徴とする壁面直付照明看板。
【請求項２】
前記反射板は、光散乱性を備えたものである、請求項１に記載の壁面直付照明看板。
【請求項３】
前記看板体は、前記看板体取付レールに対する懸架部材を備えた看板枠と、該看板枠に周縁部を嵌合固定し且つ該周縁部に続いて前方に向かって突出した周壁部を介して突設した表示部を備えた光透過性合成樹脂製の看板面体とからなる、請求項１又は２に記載の壁面直付照明看板。
【請求項４】
前記看板面体の表示部は、断面が円形又は楕円形の柱体の周面に類した凸曲面形状に形成されている、請求項３に記載の壁面直付照明看板。
【請求項５】
前記看板面体の後方に、周縁部が前記看板面体の周縁部に密接した状態で前記看板枠に嵌合固定された光透過性の保護板体を設けてなる、請求項３又は４に記載の壁面直付照明看板。
【請求項６】
前記照明用光源は、上下一対の前記看板体取付レールの間隔を規制するハンガー部材に対して止着したランプホルダに、前記看板体取付レールと平行に装着してなる、請求項１乃至５のいずれかに記載の壁面直付照明看板。
【発明の詳細な説明】
【０００１】
【発明の属する技術分野】
本発明は壁面直付照明看板に関し、更に詳しくは、建築物又は構築物の壁面などに直付けした看板面体を、その後側から照明することにより、明るい表示を浮かび上がらせるように構成した看板に関するものである。
【０００２】
【従来の技術】
従来から、建築物又は構築物の壁面に直付けした看板があり、このような看板の中で、表面に模様や文字などを表示した乳白色半透明の平板体などを前面に設け、その裏側より照明を当てることにより、観察者の目を引きやすい明るい表示を現出する、所謂内照式の看板も多く用いられている。そして、このような内照式看板では看板面の明るさを平均化するために、例えば蛍光管などの照明用光源を、平行に多数配列する手段が採用されるのが普通である。
【０００３】
一方で、このような看板にも省エネルギー化する設計が求められているため、看板面の明るさを維持しながら照明用光源の数を減らす工夫がなされている。しかし、照明用光源の数を減らすと看板面の照明ムラが起こりやすいので、照明ムラを抑制する方法として、光源の背後に反射板等を設けたり、光拡散用のシート等を設けるなどの手段で、看板面の照明を均一化しようとする提案がある。この提案により改良された照明看板として、コンビニエンスストアの店先欄間位置に設けられたものの例を図５、６に示すが、これは、鋼製アングル材ａ′等で補強された箱型の看板体取付枠ａを、必要な個数だけ壁面１上に連設固定し、例えば合成樹脂乳半板などの光透過性材料で成形した看板面材ｂ′を金属枠ｂ″に嵌め込んだ看板体ｂが、上記の看板体取付枠ａの前面に取り付けたものである。
【０００４】
そして、看板体取付枠ａの中央部に設けた照明用光源ｃから直接に前方へ向かう光と、照明用光源ｃから背後に向かった後反射板ｄで反射した光とが複合して、平坦な看板体ｂを裏側から均一に照明するようになっている。そして更に、看板体取付枠ａの下向き面部には、光透過性合成樹脂板ｆなどを嵌着した明かり取り窓ｅを設け、照明用光源ｃの一部の光が、この明かり取り窓ｅから下向きに漏れるようにすることで、看板の下方に暗い陰が出来ないように構成されている。
【０００５】
しかし、このような改良を加えた従来技術の照明看板は、確かに照明ムラに関しては改善されるものの、看板の奥行きが大きく且つ重くなって設備コスト並びに取付コストが嵩むうえ、看板内部の構造も複雑となるため、照明用機器の清掃や修理などの保守作業が難しくなるほか、保守作業に際して反射板ｄを変形させるなどの危険がある等の問題を有している。
【０００６】
【発明が解決しようとする課題】
本発明は、従来の省エネルギー対応の壁面直付照明看板における、上述のような問題点に鑑みてなされたもので、看板面照明用の光源の数を最小限に抑えても看板面の照明ムラが発生する恐れがなく、しかも構造が簡素でコンパクト且つ軽量であると共に、製作や取付作業のみならず、清掃等の保守作業が極めて簡単容易であり、しかも経済的な壁面直付照明看板を提供することを目的としたものである。
【０００７】
【課題を解決するための手段】
上記の目的を達成するために、本発明の壁面直付照明看板は、壁面上に配設された照明用光源と、該照明用光源を挟んで該壁面上に配設固着された上下一対の看板体取付レールと、該看板体取付レールに対し着脱可能に懸架結合された光透過性の看板体とを備え、該看板体取付レールに該照明用光源から受けた光を該看板体の裏面に向けて反射する反射板を設けたことを特徴としたものである。そして、かかる反射板は光散乱性を備えたものであることが、特に好ましい。
【０００８】
かかる本発明の壁面直付照明看板において、前記の看板体は、前記看板体取付レールに対する懸架部材を備えた看板枠と、該看板枠に周縁部を嵌合固定し且つ該周縁部に続いて前方に向かって突出した周壁部を介して突設した表示部を備えた光透過性合成樹脂製の看板面体とからなることにより、上下或いは左右方向からの視認性が高くなるうえ、従来のように明かり取り窓等を看板体取付用枠に設けることなく、看板の設置位置の周辺を明るくすることができるので、極めて簡素であってしかも経済的な照明看板が得られる。また看板面体の表示部を、断面が円形又は楕円形の柱体の周面に類した凸曲面形状に形成されたものとすることで、前面の中央部への光の集中を一層和らげることができる。
【０００９】
更に、前記の看板面体の後方に光透過性の保護板体を設けると共に、該保護板体の周縁部と看板面体の周縁部とを、密接した状態で看板枠に結合固定する構造を採用することにより、塵埃や昆虫などの侵入による看板面体の裏側などの汚染を防止でき、清掃や修理等の保守作業を大幅に軽減できる利点がある。
【００１０】
【発明の実施の形態】
本発明の壁面直付照明看板を、図に基づいて説明する。
図１はコンビニエンスストアの前面の、欄間位置に設けられた照明看板の例の縦断面図であり、また図２は同じ照明看板における看板体の半懸架状態を示す斜視図である。これらの図において、２及び３は、壁面１に対して適宜の取付方法によって固定された、それぞれ上部看板体取付レール及び下部看板体取付レールであり、その中央部には照明用光源４として蛍光管を取り付けた光源ホルダ４１が設けられている。また５は看板体であり、中央部分が前方に突出した看板面体６の周縁部と平板状の保護板体７の周縁部とが、互いに密接した状態で、一体として看板枠８の溝に嵌着してなるものである。そして１０は、このような照明看板の上部を保護する屋根体である。
【００１１】
本発明の壁面直付照明看板に用いられる上部看板体取付レール２及び下部看板体取付レール３は、例えば長尺のアルミニウム押出型材などで形成されたものである。このような上部看板体取付レール２は、打ち込みボルトやドリルネジなどの適宜の止着手段２２を用いて、その長手方向が水平となるように、必要に応じて背板などを設けた壁面１に対して固定されている。そして上部看板体取付レール２の上縁部前端には、看板体５を懸架するための懸架突起２ａと係合突起２ｂが突設されており、また上縁部下面から下縁部付近に向かって凹面状の反射板２１が設けられている。この反射板２１は上部看板体取付レール２の全長にわたって設けることが望ましく、上部看板体取付レール２と一体に形成されたものであってもよい。またその反射面には、反射光を散乱させるための細かな刻み目などが設けてあることが好ましい。更に上部看板体取付レール２の下縁部には、ハンガー部材９を吊り下げるための懸架溝２ｃが形成されている。
【００１２】
この懸架溝２ｃには、ハンガー部材９の上端に形成した上懸架爪９ａを引っ掛け、ハンガー部材９が懸垂した状態の位置で壁面１に固定してある。次いで固定したハンガー部材９の下端に形成した下懸架爪９ｂに、下部看板体取付レール３の上縁部に形成された懸架溝３ａを引っ掛けて、下部看板体取付レール３を上部看板体取付レール２と平行になるよう懸垂し、その後上部看板体取付レール２を壁面１に固定したのと同様な止着手段２２により、下部看板体取付レール３を壁面１に対して固定することで、下部看板体取付レール３を、上部看板体取付レール２に対し所定の間隔を保って平行に、壁面１に取り付けてある。
【００１３】
こうして壁面１に取り付けられた下部看板体取付レール３の下縁部前端には、懸架した看板体５を止着するための係止突起３ｂが突設されており、また下部看板体取付レール３の上縁部付近から下縁部上面に向かって凹面状の反射板３１が設けられている。この反射板３１は下部看板体取付レール３の全長にわたって設けることが望ましく、下部看板体取付レール３と一体に形成されているものであってもよい。またその反射面には、上部看板体取付レール２における反射板２１と同様に、反射光を散乱させるための細かな刻み目などを設けてあることが好ましい。
【００１４】
更に、壁面１上に平行に設けた上部看板体取付レール２と下部看板体取付レール３との、対応する上下の側端の間には、上部看板体取付レール２の上縁から下部看板体取付レール３の下縁までを覆うための、光遮断性材料で形成された側面遮蔽板２３を設けることができる。かかる側面遮蔽板２３の幅は、その前縁の位置が、上部看板体取付レール２の上縁部前端及び下部看板体取付レール３の下縁部前端と、一致するように決定することが望ましい。そして、このような側面遮蔽板２３を設ける場合には、対応する上部看板体取付レール２の側端と下部看板体取付レール３の側端とに、側面遮蔽板取付用のボルト孔などをそれぞれ設けておくことが望ましい。
【００１５】
更に、上部看板体取付レール２と下部看板体取付レール３の側端が壁面の角部に位置し、更に角部を回って元の壁面と交差する隣接壁面にも、看板体を延長して設けようとする場合には、これらの隣接する壁面にそれぞれ設置する看板体取付レールの端面に、いずれも斜めに切り落とすなどの加工を加えておき、双方の看板体取付レールの端面を突き合わせるようにして、壁面上に取り付けるのが好ましい。
【００１６】
こうして壁面１に取り付けた上部看板体取付レール２と下部看板体取付レール３の前面側には、必要な数の看板体５を逐次に隣接させて取り付けることにより、所望の長さを有する本発明の照明看板を組み立てることができる。用いられる看板体５は、図３に示すように、上側看板枠材８１、下側看板枠材８２、左側看板枠材８３、及び右側看板枠材８４を、コーナー部材８５、８５・・により結合し、組み立ててなる看板枠８に、前方に突出した表示部６ａを備えた光透過性の看板面体６と、その後方に設けた光透過性の保護板体７とを、嵌合固定したものである。
【００１７】
ここで用いられる看板面体６は、例えばアクリル樹脂、ポリカーボネート樹脂などの光透過性の硬質合成樹脂、或いはガラス質材料などから成形したものが用いられるが、表面を粗面化するか、気泡や屈折率の異なる粉末などを含ませる等により、光散乱性を付与した材料が、好ましく用いられる。中でも特に好ましい看板面体６としては、合成樹脂からなる厚さ２〜５mmの乳白色半透明板（乳半板）などを用いて、成形したものなどを挙げることができる。
【００１８】
またかかる看板面体６の形状は、その外周縁の形状が略長方形状であることが好ましく、その表示部６ａがそれを囲む周縁部６ｂより前方に突出しており、特に表示部６ａと周縁部６ｂとの間には、周縁部６ｂに対して略垂直に前方に向かった周壁部６ｃが形成されていることが望ましい。更に、表示部６ａの断面形状は、円又は楕円形の柱体の周面形状に形成されていることが、表面の明るさを均一化するのに有効であり、上記の柱体の軸心が照明用光源４の軸と平行となるように設けられることが、より好ましい。
【００１９】
このような看板面体６の背面側に設けられる保護板体７は、看板面体６の背面が塵埃や虫などにより汚れるのを防止するためのもので、看板面体６と同様に、例えばアクリル樹脂、ポリカーボネート樹脂などの光透過性の硬質合成樹脂などを用いて形成することができ、乳半板であっても、透明板であってもよいが、更には光散乱性を備えていることが一層好ましい。かかる保護板体７の形状は、看板面体６の外周縁に一致する外周縁形状を有するものが適しており、特に略長方形の平板状などであるのが適当である。
【００２０】
これらの看板面体６の周縁部６ｂと保護板体７の周縁部７ａとは、重ね合わせたとき相互に密着できる形状を備えていて、その上側縁部は上側看板枠材８１の前面側に設けてある嵌合溝８１ａに嵌着され、またその下側縁部は、下側看板枠材８２の前面側に設けてある嵌合溝８２ａに嵌着されることで、看板面体６と保護板体７とが確実に結合し固定される。そして更に、看板面体６と保護板体７との左側縁部並びに右左側縁部は、いずれも上記と同様に、左側看板枠材８３の前面側の嵌合溝８３ａ並びに右側看板枠材８４の前面側の嵌合溝８４ａに、それぞれ嵌着される。こうして看板面体６と保護板体７との外周に結合したそれぞれの看板枠材の端部は、いずれもＬ型のコーナー部材８５を用いてボルト結合され、一体の看板枠８を構成すると同時に、看板面体６と保護板体７と共に中空の看板体５を構成している。
【００２１】
また、このような看板枠８の上側看板枠材８１の背面側には、図４の（Ａ）に示すように、上部看板体取付レール２の前面側に設けられた懸架突起２ａと係合突起２ｂに対応して、係合溝８１ｂと係合板８１ｃが設けられている。そしてまた、看板枠８の下側看板枠材８２の背面側には、図４の（Ｂ）に示すように、下部看板体取付レール３の前面側に設けられた係止突起３ｂに対応して、係止爪８２ｂと、係止爪８２ｂを付勢する係止スプリング８２ｃと、係止スプリング８２ｃに抗して係止爪８２ｂを後退させる係止解除ボタン８２ｄとが設けられ、更に当接突起８２ｅも設けられている。
【００２２】
このような上部看板体取付レール２及び下部看板体取付レール３に対して、看板体５を取り付けるには、看板体５の上側看板枠材８１を上部看板体取付レール２に近づけるようにして、係合板８１ｃを上部看板体取付レール２の係合突起２ｂの下側に挿入し、上部看板体取付レール２の懸架突起２ａに看板体５の係合溝８１ｂを係合させる。次に、看板体５の下側看板枠材８２を下部看板体取付レール３に近づけると、係合板８１ｃの先端部が係合突起２ｂの下面に当接して係合し、同時に上側看板枠材８１の背面が懸架突起２ａの前面に当接して、看板体５が上部看板体取付レール２に懸架される。この状態で、看板体５の下側看板枠材８２を、更に下部看板体取付レール３に向かって押すと、下側看板枠材８２の背面が下部看板体取付レール３の係止突起３ｂに、また下側看板枠材８２の当接突起８２ｅが下部看板体取付レール３の背面に、それぞれ当接すると共に、下側看板枠材８２に設けた係止爪８２ｂが係止突起３ｂに係合し、看板体５が下部看板体取付レール３に確実に係止される。
【００２３】
またこの係止状態で、下側看板枠材８２の係止解除ボタン８２ｄを押すと、係止スプリング８２ｃが押し縮められて係止爪８２ｂが後退し、係止突起３ｂから係止爪８２ｂが外れるので、下側看板枠材８２は下部看板体取付レール３から自由に離すことができる状態となる。従って、看板体５の下部を下部看板体取付レール３から離すと、上部看板体取付レール２の係合突起２ｂとの係合も解除され、看板体５は懸架突起２ａのみに懸架した状態となって、そのまま左右方向に自由に移動させることができ、また取り外しもできるようになる。
【００２４】
更に、本発明の壁面直付照明看板において、壁面の角部にも看板体を設けることができる。かかる角部に取り付けるのに適した看板体としては、例えば左右対称の看板体５の左右の看板枠材のいずれか一方を省略し、看板面体の表示部の長さより上下側看板枠材の長さを短くして、壁面の角部に合わせて左右から突き合わせた横断面形状を備えた角部看板体を、組み合わせて使用することができる。或いは、横断面形状を弧状などに形成した看板面体を備えた、中空の角部看板体などを、適宜に用いることもできる。これらの角部看板体は、内部に照明用光源を設ける必要がなく、隣接する看板体からの照明光を受けるだけで、充分な明るさを維持することができる。
【００２５】
このような本発明の壁面直付照明看板は、上部看板体取付レール２と下部看板体取付レール３とに、それぞれ凹面状の反射板２１と３１とを長さに沿って設け、その前方に必要な数の光透過性の看板体５を連設したもので、上部看板体取付レール２と下部看板体取付レール３との中間に、例えば横一列に照明用光源４を設けるだけで、看板体５の表示面６ａを均一に照明できると共に、隣接する看板体５や角部看板体などに対しても照明光を行き渡らせることができる。そして、下部看板体取付レール３は壁面１からの突出幅が小さいことと、看板面体６の表示部６ａが周壁部６ｃを介して看板枠８より突出していることで、看板体５が一体として視認し易く明るいものとなるばかりでなく、明かり取り窓などを設けなくとも看板下方の環境を明るく維持できるものである。
【００２６】
【発明の効果】
本発明の壁面直付照明看板は、省エネルギーのために、照明用光源の数を最低限まで減らしても看板の表示面の照明ムラを発生させず、しかも連設した看板体が一体的な明るい看板として視認し易いものであり、看板下方を明るく維持できる効果があるほか、上下２本の看板体取付レールを壁面上に取り付けることで、看板体取付用の基礎構造体を組み立てるため、基礎構造体自体が簡素且つ軽量となって、取付工事が省力化されるうえ工事費も低減できる効果がある。
そして看板体も数少ない規格品を任意に組み合わせることで、規模や環境の多様な施工現場に対して適合した形状の照明看板を、容易に設置することができる利点もあり、更に清掃や修理、部品交換などが安全かつ容易に実施でき、保守管理の費用が少ないうえ、部品等の回収再利用も容易で、廃棄物発生量の抑制にも有効であるという効果がある。
【図面の簡単な説明】
【図１】本発明の壁面直付照明看板の例の縦断面図である。
【図２】本発明の壁面直付照明看板の部品構成と組立状態を示す斜前下方からの外観斜視図である。
【図３】本発明の壁面直付照明看板における看板体の部品構成を示す斜視図である。
【図４】本発明の壁面直付照明看板における看板体取付レールと看板体との取付状態を示す断面図であり、（Ａ）はその上端部付近の構造を、（Ｂ）はその下端部付近の構造を示す。
【図５】従来技術の壁面直付照明看板の例の縦断面図である。
【図６】従来技術の壁面直付照明看板の例の部品構成と組立状態を示す斜前下方からの外観斜視図である。
【符号の説明】
１        壁面
２        上部看板体取付レール
２ａ      懸架突起
２ｂ      係合突起
２ｃ      懸架溝
２１      反射板
２２      止着手段
２３      側面遮蔽板
３        下部看板体取付レール
３ａ      懸架溝
３ｂ      係止突起
３１      反射板
４        照明用光源
４１      光源ホルダ
５        看板体
６        看板面体
６ａ      表示部
６ｂ      周縁部
６ｃ      周壁部
７        保護板体
７ａ      周縁部
８        看板枠
８１      上側看板枠材
８１ａ    嵌合溝
８１ｂ    係合溝
８１ｃ    係合板
８２      下側看板枠材
８２ａ    嵌合溝
８２ｂ    係止爪
８２ｃ    係止スプリング
８２ｄ    係止解除ボタン
８２ｅ    当接突起
８３      左側看板枠材
８３ａ    嵌合溝
８４      右側看板枠材
８４ａ    嵌合溝
８５      コーナー部材
９        ハンガー部材
９ａ      上側爪
９ｂ      下側爪
１０      屋根体
ａ        看板体取付枠
ａ′      鋼製アングル材
ｂ        看板体
ｂ′      看板面材
ｂ″      金属枠
ｃ        照明用光源
ｄ        反射板
ｅ        明かり取り窓
ｆ        光透過性合成樹脂板
【図１】
0004272758.tif 000002
【図２】
0004272758.tif 000003
【図３】
0004272758.tif 000004
【図４】
0004272758.tif 000005
【図５】
0004272758.tif 000006
【図６】
0004272758.tif 000007